(57)【要約】【課題】プラズマディスプレイ表示装置において、クロストークを発生することなく高輝度、高階調表示（疑似輪郭防止）、安定動作を実現することを目的とする。【解決手段】本発明によるプラズマディスプレイパネルの駆動方法は、行電極に対して、極性が周期的に反転する所定の維持パルスを印加することにより維持放電を発生させ維持させる維持期間と、列電極に対して、所定の書き込みパルスを印加してアドレス放電を発生させることにより、発光あるいは消去させる放電セルを順次選択する書き込み期間とを有し、書き込み期間と維持期間とは、行電極を少なくとも一つ以上をまとめたブロックＡ〜Ｈごとに行い、ブロックＡ〜Ｈ間では維持期間と書き込み期間とが重複することを特徴とするものである。【選択図】図２
2005070381.tif 000002
【特許請求の範囲】
【請求項１】
行方向に延び表示ラインを形成する複数の行電極とこの行電極と交差して放電セルを形成するように配列した複数の列電極とを備えたプラズマディスプレイパネルと、このプラズマディスプレイパネルを駆動するための駆動回路とを有するプラズマディスプレイ装置の駆動方法において、行電極に対して、極性が周期的に反転する所定の維持パルスを印加することにより維持放電を発生させ維持させる維持期間と、列電極に対して、所定の書き込みパルスを印加してアドレス放電を発生させることにより、発光あるいは消去させる放電セルを順次選択する書き込み期間とを有し、書き込み期間と維持期間とは、行電極を少なくとも一つ以上をまとめたブロックごとに行い、ブロック間では維持期間と書き込み期間とが重複することを特徴とするプラズマディスプレイ装置の駆動方法。
【請求項２】
行方向に延び表示ラインを形成する複数の行電極とこの行電極と交差して放電セルを形成するように配列した複数の列電極とを備えたプラズマディスプレイパネルと、このプラズマディスプレイパネルを駆動するための駆動回路とを有するプラズマディスプレイ装置の駆動方法において、行電極に対して、極性が周期的に反転する所定の維持パルスを印加することにより維持放電を発生させ維持させる維持期間と、列電極に対して、所定の書き込みパルスを印加してアドレス放電を発生させることにより、発光あるいは消去させる放電セルを順次選択する書き込み期間とを有し、複数の行電極を複数のブロックに区分し、ブロックの各々では書き込み期間と維持期間とを分離して順次実行し、ブロック各々の書き込み期間が時間的に重複しないように書き込み期間をずらすことを特徴とするプラズマディスプレイ装置の駆動方法。
【請求項３】
１フィールドでの維持期間を複数のサブフィールドに分割し、先頭部のサブフィールドにおいてのみ所定の放電セルを発光または非発光のいずれか一方の状態に初期化するリセット期間と、後続するサブフィールドのうちのいずれか１つのサブフィールドにおいて、前記放電セルを発光または非発光のいずれか一方の状態に設定する書き込み期間と、前記放電セルのみを所定の期間だけ連続して発光させる維持期間とを有することを特徴とする請求項２に記載のプラズマディスプレイ装置の駆動方法。
【請求項４】
前記ブロック内に発光期間と休止期間とを設け、前記ブロックの時間をそれぞれ一定期間としたことを特徴とする請求項２または３に記載のプラズマディスプレイ装置の駆動方法。
【請求項５】
行方向に延び表示ラインを形成する複数の行電極とこの行電極と交差して放電セルを形成するように配列した複数の列電極とを備えたプラズマディスプレイパネルと、このプラズマディスプレイパネルを駆動するための駆動回路とを有するプラズマディスプレイ装置の駆動方法において、行電極に対して、極性が周期的に反転する所定の維持パルスを印加することにより維持放電を発生、維持させる維持期間と、列電極に対して、所定の書き込みパルスを印加してアドレス放電を発生させることにより、発光あるいは消去させる放電セルを順次選択する書き込み期間とを有し、表示ライン単位で維持期間と書き込み期間とが重複することを特徴とするプラズマディスプレイ装置の駆動方法。
【請求項６】
１フィールドを発光期間と非発光期間とに分割したことを特徴とする請求項５に記載のプラズマディスプレイ装置の駆動方法。
【請求項７】
１フィールドでの維持期間を複数のサブフィールドに分割し、先頭部のサブフィールドにおいてのみ所定の放電セルを発光または非発光のいずれか一方の状態に初期化するリセット期間と、後続するサブフィールドのうちのいずれか１つのサブフィールドにおいて、前記放電セルを発光または非発光のいずれか一方の状態に設定する書き込み期間と、前記放電セルのみを所定の期間だけ連続して発光させる維持期間とを有することを特徴とする請求項６に記載のプラズマディスプレイ装置の駆動方法。
【発明の詳細な説明】
【技術分野】
【０００１】
本発明は、放電を制御することにより画像を表示するプラズマディスプレイ装置の駆動方法に関する。
【背景技術】
【０００２】
プラズマディスプレイパネル（ＰＤＰ）を用いたプラズマディスプレイ装置は、放電の際の発光を利用することにより画像を表示しており、薄型化および大画面化が可能であるという利点を有している。
【０００３】
このようなプラズマディスプレイ装置における階調表示のための駆動方式としては、ＡＤＳ（Ａｄｄｒｅｓｓ  ａｎｄ  Ｄｉｓｐｌａｙ  ｐｅｒｉｏｄ  Ｓｅｐａｒａｔｅｄ、アドレス・維持期間分離）方式が用いられている。図１３はＡＤＳ方式を説明するための図である。図１３の縦軸は、ＰＤＰの行電極であるスキャン電極の、第１ラインから第ｍラインまでの走査方向（垂直走査方向）を示し、横軸は時間を示す。
【０００４】
ＡＤＳ方式では、１フィールド（１／６０秒＝１６．６７ｍｓ）を複数のサブフィールドに時間的に分割する。例えば、８ビットで２５６階調表示を行う場合には、１フィールドを８つのサブフィールドに分割する。また、各サブフィールドは、点灯させる放電セルを選択するためのアドレス放電を行う書き込み期間と、表示のための維持放電が行なわれる維持期間とに分離される。
【０００５】
図１３の例では、１フィールドが４つのサブフィールドＳＦ１、ＳＦ２、ＳＦ３、ＳＦ４に時間的に分割されている。すなわち、サブフィールドＳＦ１は書き込み期間ＡＤ１と維持期間ＳＵＳ１とに分離され、サブフィールドＳＦ２は書き込み期間ＡＤ２と維持期間ＳＵＳ２とに分離され、サブフィールドＳＦ３は書き込み期間ＡＤ３と維持期間ＳＵＳ３とに分離され、サブフィールドＳＦ４は書き込み期間ＡＤ４と維持期間ＳＵＳ４とに分離されている。
【０００６】
ＡＤＳ方式では、図１３に示すように、１フィールドを複数のサブフィールドに時分割してそれらのサブフィールドを重ね合わせることにより表示画像の輝度を表しているので、画像の輝度によっては動画の輪隔が二重に見える動画疑似輪郭と呼ばれる現象が発生する。
【０００７】
この動画疑似輪郭の不具合を解決するため、各種取り組みがなされており、その一例として、例えば、特許文献１がある。
【０００８】
図１４に、かかるＰＤＰを駆動する駆動回路を備えたプラズマディスプレイ装置の概略構成を示す。図１４において、Ａ／Ｄ変換器２０１は、駆動制御回路２０２から供給されるクロック信号に応じて、アナログの入力映像信号をサンプリングしてこれを１画素ごとに例えば６ビットの画素データＤ（入力画素データ）に変換し、これをデータ変換回路２０３にする。データ変換回路２０３は、所定の変換テーブルに従って変換画素データＨＤ（表示画素データ）に変換し、これをメモリ２０４に供給する。
【０００９】
メモリ２０４は、上記駆動制御回路２０２から供給されてくる書き込み信号に従って上記変換画素データＨＤを順次書き込む。かかる書き込み動作により１画面（ｎ行、ｍ列）分の書き込みが終了すると、メモリ２０４は、この１画面分の変換画素データＨＤ１１−ｎｍ各々を各ビット桁ごと（第０ビット目〜第８ビット目）に分割して読み出し、これを１行分ごとに順次アドレスドライバ２０６に供給する。
【００１０】
例えば、メモリ２０４は、先ず、画面上の第１行目に対応したｍ個の変換画素データＨＤ１１−１ｍ各々中の第０ビット目のデータのみを読み出す。次に、メモリ２０４は、第２行目に対応したｍ個の変換画素データＨＤ２１−２ｍ各々中の第０ビット目のデータのみを読み出す。以下、同様にしてメモリ２０４は、第ｎ行までの変換画素データＨＤ中の第０ビット目のデータのみを順次読み出して行く。これが終了すると、メモリ２０４は、画面上の第１行に対応したｍ個の変換画素データＨＤ１１−１ｍ各々中の第１ビット目のデータのみを読み出す。次に、メモリ２０４は、第２行目に対応したｍ個の変換画素データＨＤ２１−２ｍ各々中の第１ビット目のデータのみを読み出す。
【００１１】
以下、同様にしてメモリ２０４は、第ｎ行までの変換画素データＨＤ中の第１ビット目のデータのみを順次読み出して行く。以降、同様な手順にて、メモリ２０４は、変換画素データＨＤ中の第２ビット目〜第８ビット目までのデータを分割して読み出していく。
【００１２】
このように、メモリ２０４は、所定の変換テーブルに従って変換された変換画素データＨＤを各ビット桁ごとに分割して、第０ビットから第８ビットへと順次読み出し、これらを１フィールド期間内にアドレスドライバ２０６に供給していく。アドレスドライバ２０６は、かかるメモリ２０４から読み出された１行分ごとの画素データビット群各々の論理レベルに対応した電圧を有する画素データパルスＤＰ１〜ＤＰｍを発生し、これらをＰＤＰ２１０の列電極Ｄ１〜Ｄｍに夫々印加する。
【００１３】
駆動制御回路２０２は、入力された映像信号中の水平及び垂直同期信号に同期して、上記Ａ／Ｄ変換器２０１に対するクロック信号、及びメモリ２０４に対する書き込み・読出信号を生成する。更に、駆動制御回路２０２は、かかる水平及び垂直同期信号に同期して、画素データタイミング信号、リセットタイミング信号、走査タイミング信号、及び維持タイミング信号をそれぞれ発生する。
【００１４】
第１サスティンドライバ２０７は、上記駆動制御回路２０２から供給された各種タイミング信号に応じて、残留電荷量を初期化するためのリセットパルスＲＰＸ、放電発光状態を維持するための維持パルスＩＰＸ各々を発生し、これらをＰＤＰ２１０の行電極Ｘ１〜Ｘｎに印加する。第２サスティンドライバ２０８は、上記駆動制御回路２０２から供給された各種タイミング信号に応じて、残留電荷量を初期化するためのリセットパルスＲＰＹ、画素データを書き込むための走査パルスＳＰ、画素データ書き込みを良好に実施させる為のプライミングパルスＰＰ、及び放電発光状態を維持するための維持パルスＩＰＹ各々を発生し、これらをＰＤＰ２１０の行電極Ｙ１〜Ｙｎに印加する。
【００１５】
なお、ＰＤＰ２１０は、行電極Ｘ及び行電極Ｙの一対にて、画面の１行分に対応した行電極を形成している。例えば、ＰＤＰ２１０における第１行目の行電極対は行電極Ｘ１及びＹ１であり、第ｎ行目の行電極対は行電極Ｘｎ及びＹｎとなる。又、ＰＤＰ２１０では、かかる行電極対と各列電極との交差部に１つの放電セルが形成される。
【００１６】
上述のような構成において、図１５に示す発光駆動フォーマットを採用して、１フィールド期間の駆動を実行する。図１５は、画素データ書き込み期間Ｗｃにおいて選択消去アドレス法により画素データの書き込みを行う場合の発光駆動フォーマットを示すものである。
【００１７】
図１５に示す発光駆動フォーマットでは、１フィールド期間をサブフィールドＳＦ１〜ＳＦ１４なる１４個のサブフィールドに分割している。これらサブフィールドＳＦ１〜ＳＦ１４各々では、画素データの書き込みを行って発光セル及び非発光セルの設定を行う画素データ書き込み期間Ｗｃと、発光セルに対してのみ放電発光状態を維持させる維持発光期間Ｉｃとを実施する。
【００１８】
この際、各維持発光期間Ｉｃでの発光時間（発光回数）は、サブフィールドＳＦ１での発光時間を”１”とした場合、それぞれ、１、３、５、８、１０、１３、１６、１９、２２、２５、２８、３２、３５、３９と設定されている。すなわち、各サブフィールドＳＦ１〜ＳＦ１４の発光回数の比を非線形（つまり、逆ガンマ比率：Ｙ＝Ｘ２．２）になるように設定し、これにより入力画素データＤの非線形特性（ガンマ特性）を補正するようにしている。
【００１９】
更に、これら各サブフィールド（ＳＦ）の内、先頭のＳＦのみで一斉リセット期間Ｒｃを実行する。つまり、図１５に示されるが如き選択消去アドレス法を採用した際の発光駆動フォーマットでは、サブフィールドＳＦ１のみで一斉リセット期間Ｒｃを実行する。
【００２０】
また、図１５に示すように、１フィールド期間の最後尾のサブフィールドにおいて、全ての放電セル内に残存している壁電荷を消滅させる消去期間Ｅを実行する。
【００２１】
以上のように、初期の一斉リセット期間にて壁電荷を形成させた後、維持発光を行い、ＳＦのいずれか一つのＳＦの書き込み期間においてのみ消去放電を実施する。このように、連続してＳＦが発光するため輝度階調変化が少ない表示を行う場合でも、互いに隣接する放電セル間において両者の発光パターンが互いに反転してしまうことはないので、疑似輪郭は原理的に発生しない。
【特許文献１】特開２０００−２２７７７８６号公報
【発明の開示】
【発明が解決しようとする課題】
【００２２】
以上の従来例によれば、連続してＳＦが発光するため疑似輪郭を抑制することが出来る。ところが、実際に実現できる階調は非発光の状態とＳＦ数をあわせて１４＋１＝１５階調程度であり、多階調化処理（ディザ法）などにより階調を増やしている。このため、中間調でノイズが確認されるなど階調表現法としては不十分であるという課題がある。
【００２３】
さらに、ＳＦ数を増加させると実現できる階調数を増やせるが、従来のＡＤＳ駆動法では書き込み時間の短縮に限界があり、実現できる階調数を増やすことができないという課題がある。
【００２４】
またＰＤＰの構造として、縦方向と横方向との両方に隔壁が設けられている井桁パネルが、用いられる場合がある。この井桁パネルでは、従来のストライプ状リブ構造に比べ、上下間の放電セルでのプライミング粒子の相互作用が弱くなってしまうという問題が発生する場合がある。このため、井桁パネルでは、書き込み動作が不安定になり、不灯が発生する場合があるという課題があった。この課題に対しては、書き込み電圧を上昇させる対策と書き込み時間を伸ばす対策とがあるが、書き込み電圧に対しては、駆動ドライバーＩＣの耐圧により限界がある。また書き込み時間に対しては、書き込み期間を延ばすとサブフィールド数が充分に確保できない不具合と、トータルの書き込み期間が延びることによりアドレス放電により書き込んだ電荷が抜けてしまい、維持発光の期間で発光が起きないという課題がある。つまり従来の駆動方法では井桁パネルに対する不具合を解決することができないという課題があった。
【００２５】
一方、パネルの高効率化として、放電ガス中のＸｅ（キセノン）ガスの分圧比を上昇させる検討が検討されている。この場合、Ｘｅガス分圧を上昇させると効率は向上するものの一般的に書き込み時間が長くなるという課題がある。従来の駆動方式では、サブフィールド数を確保したまま書き込み時間を増加させることは時間的に困難であり、このため書き込み動作が失敗し表示単位（画素）が点灯あるいは消去しないという不具合が発生する場合があった。
【００２６】
本発明は上記課題に鑑みてなされたものであり、クロストークを発生することなく高輝度、高階調表示（疑似輪郭防止）、安定動作を可能とするプラズマディスプレイ装置の駆動方法を実現し、よって高品位な画像表示が可能なプラズマディスプレイ装置を提供することを目的とする。
【課題を解決するための手段】
【００２７】
上記目的を実現するために本発明のプラズマディスプレイパネルの駆動方法は、行方向に延び表示ラインを形成する複数の行電極とこの行電極と交差して放電セルを形成するように配列した複数の列電極とを備えたプラズマディスプレイパネルと、このプラズマディスプレイパネルを駆動するための駆動回路とを有するプラズマディスプレイ装置の駆動方法において、行電極に対して、極性が周期的に反転する所定の維持パルスを印加することにより維持放電を発生させ維持させる維持期間と、列電極に対して、所定の書き込みパルスを印加してアドレス放電を発生させることにより、発光あるいは消去させる放電セルを順次選択する書き込み期間とを有し、書き込み期間と維持期間とは、行電極を少なくとも一つ以上をまとめたブロックごとに行い、ブロック間では維持期間と書き込み期間とが重複することを特徴とするものである。
【００２８】
また、上記目的を実現するために本発明のプラズマディスプレイパネルの駆動方法は、行方向に延び表示ラインを形成する複数の行電極とこの行電極と交差して放電セルを形成するように配列した複数の列電極とを備えたプラズマディスプレイパネルと、このプラズマディスプレイパネルを駆動するための駆動回路とを有するプラズマディスプレイ装置の駆動方法において、行電極に対して、極性が周期的に反転する所定の維持パルスを印加することにより維持放電を発生させ維持させる維持期間と、列電極に対して、所定の書き込みパルスを印加してアドレス放電を発生させることにより、発光あるいは消去させる放電セルを順次選択する書き込み期間とを有し、複数の行電極を複数のブロックに区分し、ブロックの各々では書き込み期間と維持期間とを分離して順次実行し、ブロック各々の書き込み期間が時間的に重複しないように書き込み期間をずらすことを特徴とするものである。
【００２９】
また、上記目的を実現するために本発明のプラズマディスプレイパネルの駆動方法は、行方向に延び表示ラインを形成する複数の行電極とこの行電極と交差して放電セルを形成するように配列した複数の列電極とを備えたプラズマディスプレイパネルと、このプラズマディスプレイパネルを駆動するための駆動回路とを有するプラズマディスプレイ装置の駆動方法において、行電極に対して、極性が周期的に反転する所定の維持パルスを印加することにより維持放電を発生、維持させる維持期間と、列電極に対して、所定の書き込みパルスを印加してアドレス放電を発生させることにより、発光あるいは消去させる放電セルを順次選択する書き込み期間とを有し、表示ライン単位で維持期間と書き込み期間とが重複することを特徴とするものである。
【発明の効果】
【００３０】
本発明によれば、書き込み・維持同時駆動を行うことにより、特に井桁形状の隔壁を有するＰＤＰに対して、クロストークを発生することなく、高輝度化、高階調（疑似輪郭防止）、安定動作が可能なプラズマディスプレイ装置の駆動方法が実現でき、よって高品位な表示性能を持つプラズマディスプレイ装置を提供することができる。
【発明を実施するための最良の形態】
【００３１】
すなわち、本発明の請求項１に記載の発明は、行方向に延び表示ラインを形成する複数の行電極とこの行電極と交差して放電セルを形成するように配列した複数の列電極とを備えたプラズマディスプレイパネルと、このプラズマディスプレイパネルを駆動するための駆動回路とを有するプラズマディスプレイ装置の駆動方法において、行電極に対して、極性が周期的に反転する所定の維持パルスを印加することにより維持放電を発生させ維持させる維持期間と、列電極に対して、所定の書き込みパルスを印加してアドレス放電を発生させることにより、発光あるいは消去させる放電セルを順次選択する書き込み期間とを有し、書き込み期間と維持期間とは、行電極を少なくとも一つ以上をまとめたブロックごとに行い、ブロック間では維持期間と書き込み期間とが重複することを特徴とするプラズマディスプレイ装置の駆動方法である。
【００３２】
また、請求項２に記載の発明は、行方向に延び表示ラインを形成する複数の行電極とこの行電極と交差して放電セルを形成するように配列した複数の列電極とを備えたプラズマディスプレイパネルと、このプラズマディスプレイパネルを駆動するための駆動回路とを有するプラズマディスプレイ装置の駆動方法において、行電極に対して、極性が周期的に反転する所定の維持パルスを印加することにより維持放電を発生させ維持させる維持期間と、列電極に対して、所定の書き込みパルスを印加してアドレス放電を発生させることにより、発光あるいは消去させる放電セルを順次選択する書き込み期間とを有し、複数の行電極を複数のブロックに区分し、ブロックの各々では書き込み期間と維持期間とを分離して順次実行し、ブロック各々の書き込み期間が時間的に重複しないように書き込み期間をずらすことを特徴とするプラズマディスプレイ装置の駆動方法である。
【００３３】
また、請求項３に記載の発明は、請求項２に記載の発明において、１フィールドでの維持期間を複数のサブフィールドに分割し、先頭部のサブフィールドにおいてのみ所定の放電セルを発光または非発光のいずれか一方の状態に初期化するリセット期間と、後続するサブフィールドのうちのいずれか１つのサブフィールドにおいて、前記放電セルを発光または非発光のいずれか一方の状態に設定する書き込み期間と、前記放電セルのみを所定の期間だけ連続して発光させる維持期間とを有することを特徴とするものである。
【００３４】
また、請求項４に記載の発明は、請求項２または３に記載の発明において、前記ブロック内に発光期間と休止期間とを設け、前記ブロックの時間をそれぞれ一定期間としたことを特徴とするものである。
【００３５】
また、請求項５に記載の発明は、行方向に延び表示ラインを形成する複数の行電極とこの行電極と交差して放電セルを形成するように配列した複数の列電極とを備えたプラズマディスプレイパネルと、このプラズマディスプレイパネルを駆動するための駆動回路とを有するプラズマディスプレイ装置の駆動方法において、行電極に対して、極性が周期的に反転する所定の維持パルスを印加することにより維持放電を発生、維持させる維持期間と、列電極に対して、所定の書き込みパルスを印加してアドレス放電を発生させることにより、発光あるいは消去させる放電セルを順次選択する書き込み期間とを有し、表示ライン単位で維持期間と書き込み期間とが重複することを特徴とするプラズマディスプレイ装置の駆動方法である。
【００３６】
また、請求項６に記載の発明は、請求項５に記載の発明において、１フィールドを発光期間と非発光期間とに分割したことを特徴とするものである。
【００３７】
また、請求項７に記載の発明は、１フィールドでの維持期間を複数のサブフィールドに分割し、先頭部のサブフィールドにおいてのみ所定の放電セルを発光または非発光のいずれか一方の状態に初期化するリセット期間と、後続するサブフィールドのうちのいずれか１つのサブフィールドにおいて、前記放電セルを発光または非発光のいずれか一方の状態に設定する書き込み期間と、前記放電セルのみを所定の期間だけ連続して発光させる維持期間とを有することを特徴とする請求項６に記載のプラズマディスプレイ装置の駆動方法である。
【００３８】
以下、本発明の一実施形態に係るプラズマディスプレイ装置の駆動方法について図を参照しながら説明する。
【００３９】
（実施の形態１）
図１は本発明の一実施の形態に係るプラズマディスプレイ装置の駆動方法により駆動されるプラズマディスプレイ装置の概略構成を示すブロック図である。
【００４０】
プラズマディスプレイ装置１は、ＰＤＰ１０とそれを駆動するための駆動回路２０とを有する。
【００４１】
ＰＤＰ１０の構成の一例を、図８から図１２に示す。図８はＰＤＰ１０の行電極１２、１３と隔壁との関係を模式的に表す平面図であり、図９は図８のＶ１−Ｖ１矢視断面図、図１０は図８のＶ２−Ｖ２矢視断面図、図１１は図８のＷ１−Ｗ１矢視断面図、図１２は図８のＷ２−Ｗ２矢視断面図である。図８〜図１２に示すＰＤＰ１０は、交流駆動方式の面放電型である。
【００４２】
図８〜図１２において、表示面である前面ガラス基板１１の内面側に、複数の行電極１２、１３が、前面ガラス基板１１の行方向（図８の左右方向）に延びるように平行に配列されている。行電極１２は、ＩＴＯ等の透明導電膜からなる透明電極１２ａと、前面ガラス基板１１の行方向に延びて透明電極１２ａの狭小の基端部に接続された金属膜からなるバス電極１２ｂによって構成されている。行電極１３も同様に、ＩＴＯ等の透明導電膜からなる透明電極１３ａと、前面ガラス基板１１の行方向に延びて透明電極１３ａの狭小の基端部に接続された金属膜からなるバス電極１３ｂによって構成されている。
【００４３】
この行電極１２、１３は、前面ガラス基板１１の列方向（図８の上下方向）に交互に配列されており、バス電極１２ｂと１３ｂに沿って並列されたそれぞれの透明電極１２ａと１３ａが、それぞれ所要の幅の放電ギャップｇを介して対向している。
【００４４】
前面ガラス基板１１の内面側には、さらに、行電極１２、１３を被覆するように誘電体層１４が形成されている。この誘電体層１４の内面側には、ＭｇＯからなる保護層１５が形成されている。
【００４５】
一方、前面ガラス基板１１と平行に対向して配置された背面ガラス基板１６の内面側の面上には、列電極１７が、各行電極１２、１３の互いに対となった透明電極１２ａおよび１３ａに対向する位置において行電極１２、１３と直交する方向（列方向）に延びるように、互いに所定の間隔を開けて平行に配列されている。
【００４６】
背面ガラス基板１６の内面側の面上には、さらに、列電極１７を被覆する誘電体層１８が形成され、この誘電体層１８上に、隔壁１９が形成されている。
【００４７】
ここで、隔壁１９としては、例えば、互いに平行に配列された各列電極１７の間の位置において列方向に延びる縦壁１９ａと、行方向に延びる横壁１９ｂとによって井桁状に形成されている。隔壁１９の縦壁１９ａと横壁１９ｂの高さは、同じであっても良いし、段差を設けて空間に隙間がある形でもよい。そして、この井桁状の隔壁１９によって前面ガラス基板１１と背面ガラス基板１６の間の空間が、各行電極対１２、１３において対となった透明電極１２ａと１３ａに対向する部分ごとに区画されて、それぞれ方形の放電空間Ｓが形成されている。
【００４８】
放電空間Ｓに面する隔壁１９の縦壁１９ａおよび横壁１９ｂの側面と誘電体層１８の表面には、これらの五つの面を全て覆うように蛍光体層２８が、それぞれ順に形成されている。この蛍光体層２８の色は、各放電空間ＳごとにＲ、Ｇ、Ｂの色が行方向に順に並ぶように設定される。そして、放電空間Ｓ内には放電ガスとしての希ガスが封入されている。
【００４９】
上記のＰＤＰ１０は、行電極対１２、１３がそれぞれマトリクス表示画面の１表示ライン（行）Ｌを構成し、また、井桁状の隔壁１９によって区画された放電空間Ｓが、それぞれ一つの放電セルＣを画定している。
【００５０】
ここで、行電極１２、１３は、一方がスキャン電極（走査電極）、他方がサステイン電極（維持電極）として、そして列電極１７はアドレス電極（データ電極）として機能するものである。
【００５１】
すなわち、このＰＤＰ１０における画像表示は、先ず、書き込み（アドレス）動作により、各放電セルＣにおいて行電極１２、１３の一方と列電極１７との間で選択的に放電が行われ、全表示ラインＬに点灯セル（誘電体層１４上に壁電荷が形成された放電セルＣ）と消灯セル（誘電体層１４上に壁電荷が形成されなかった放電セルＣ）とが、表示する画像に対応して、パネル上に分布される。
【００５２】
この書き込み動作の後、表示ラインＬにおいて一斉に、行電極対１２、１３に対して交互に維持パルスが印加され、この維持パルスが印加されるごとに、各点灯セルにおいて面放電が発生される。以上のようにして、点灯セルにおける面放電により紫外線が発生され、放電空間Ｓ内のＲ、Ｇ、Ｂの各蛍光体層２８がそれぞれ励起されて発光することにより、表示画面が形成される。
【００５３】
ここで、上記ＰＤＰ１０においては、隔壁１９により列方向（垂直方向）および行方向（水平方向）において隣接する放電セルＣの放電空間Ｓが互いに遮蔽されていることにより、隣接する放電セルＣ間での放電の干渉が生じるのが防止される。
【００５４】
また、図１に示すように、駆動回路２０は、アドレスドライバ２１、スキャンドライバ２２Ａ〜２２Ｈ、サステインドライバ２３Ａ〜２３Ｈ、放電制御タイミング発生回路２４、Ａ／Ｄコンバータ（アナログ・デジタル変換器）２５、走査数変換部２６およびサブフィールド変換部２７を備える。
【００５５】
Ａ／Ｄコンバータ２５には映像信号ＶＤが入力される。また、放電制御タイミング発生回路２４、Ａ／Ｄコンバータ２５、走査数変換部２６およびサブフィールド変換部２７には水平同期信号Ｈおよび垂直同期信号Ｖが与えられる。
【００５６】
Ａ／Ｄコンバータ２５は、映像信号ＶＤをデジタルの画像データに変換し、その画像データを走査数変換部２６に与える。走査数変換部２６は、画像データをＰＤＰ１０の画素数に応じたライン数の画像データに変換し、各ラインごとの画像データをサブフィールド変換部２７に与える。各ラインごとの画像データは、各ラインの複数の画素にそれぞれ対応する複数の画素データからなる。サブフィールド変換部２７は、各ラインごとの画像データの各画素データを複数のサブフィールドに対応する複数のビットに分割し、各サブフィールドごとに各画素データの各ビットをアドレスドライバ２１にシリアルに出力する。
【００５７】
放電制御タイミング発生回路２４は、水平同期信号Ｈおよび垂直同期信号Ｖを基準として、放電制御タイミング信号ＳＣ−Ａ〜ＳＣ−Ｈと放電制御タイミング信号ＳＵ−Ａ〜ＳＵ−Ｈを発生し、放電制御タイミング信号ＳＣ−Ａ〜ＳＣ−Ｈをスキャンドライバ２２Ａ〜２２Ｈにそれぞれ与え、放電制御タイミング信号ＳＵ−Ａ〜ＳＵ−Ｈをサステインドライバ２３Ａ〜２３Ｈにそれぞれ与える。
【００５８】
前述したように、ＰＤＰ１０における、行電極１２、１３は、一方がスキャン電極（走査電極）、他方がサステイン電極（維持電極）として機能し、列電極１７はアドレス電極（データ電極）として機能するものであり、列電極１７は画面の垂直方向に配列され、行電極１２、１３は画面の水平方向に配列されている。そして行電極１２、１３と列電極１７の各交点には放電セルＣが形成され、各放電セルＣが画面上の画素を構成している。そして複数のラインＬは複数のブロック、例えばＡ〜Ｈの８ブロックに分割されている。
【００５９】
第１ラインから第Ｌラインまでの行電極１２はスキャンドライバ２２Ａに接続され、第（Ｌ＋１）ラインから第２Ｌラインまでの行電極１２はスキャンドライバ２２Ｂに接続され、第（６Ｌ＋１）ラインから第７Ｌラインまでの行電極１２はスキャンドライバ２２Ｇに接続され、第（７Ｌ＋１）ラインから第８Ｌラインまでの行電極１２はスキャンドライバ２２Ｈに接続されている。
【００６０】
また、第１ラインから第Ｌラインまでのサステイン電極１３はサステインドライバ２３Ａに共通に接続され、第（Ｌ＋１）ラインから第２Ｌラインまでのサステイン電極１３はサステインドライバ２３Ｂに共通に接続され、第（６Ｌ＋１）ラインから第７Ｌラインまでのサステイン電極１３はサステインドライバ２３Ｇに共通に接続され、第（７Ｌ＋１）ラインから第８Ｌラインまでのサステイン電極１３はサステインドライバ２３Ｈに共通に接続されている。
【００６１】
アドレスドライバ２１は、サブフィールド変換部２７から各サブフィールドごとにシリアルに与えられるデータをパラレルデータに変換し、そのパラレルデータに基づいて複数のアドレス電極１７を駆動する。
【００６２】
スキャンドライバ２２Ａは、放電制御タイミング発生回路２４から与えられる放電制御タイミング信号ＳＣ−Ａに応じてセットアップパルス、書き込みパルス、維持パルスを第１ラインから第Ｌラインまでのスキャン電極１２に印加する。スキャンドライバ２２Ｂは、放電制御タイミング発生回路２４から与えられる放電制御タイミング信号ＳＣ−Ｂに応じてセットアップパルス、書き込みパルス、維持パルスを第（Ｌ＋１）ラインから第２Ｌラインまでのスキャン電極１２に印加する。スキャンドライバ２２Ｇは、放電制御タイミング発生回路２４から与えられる放電制御タイミング信号ＳＣ−Ｇに応じてセットアップパルス、書き込みパルス、維持パルスを第（６Ｌ＋１）ラインから第７Ｌラインまでのスキャン電極１２に印加する。スキャンドライバ２２Ｈは、放電制御タイミング発生回路２４から与えられる放電制御タイミング信号ＳＣ−Ｈに応じてセットアップパルス、書き込みパルス、維持パルスを第（７Ｌ＋１）ラインから第８Ｌラインまでのスキャン電極１２に印加する。
【００６３】
サステインドライバ２３Ａは、放電制御タイミング発生回路２４から与えられる放電制御タイミング信号ＳＵ−Ａに応じて第１ラインから第Ｌラインまでのサステイン電極１３を同時に駆動する。サステインドライバ２３Ｂは、放電制御タイミング発生回路２４から与えられる放電制御タイミング信号ＳＵ−Ｂに応じて第（Ｌ＋１）ラインから第２Ｌラインまでのサステイン電極１３を同時に駆動する。サステインドライバ２３Ｇは、放電制御タイミング発生回路２４から与えられる放電制御タイミング信号ＳＵ−Ｇに応じて第（６Ｌ＋１）ラインから第７Ｌラインまでのサステイン電極１３を同時に駆動する。サステインドライバ２３Ｈは、放電制御タイミング発生回路２４から与えられる放電制御タイミング信号ＳＵ−Ｈに応じて第（７Ｌ＋１）ラインから第８Ｌラインまでのサステイン電極１３を同時に駆動する。
【００６４】
図２は、図１のプラズマディスプレイ装置１の各ブロックにおけるリセット期間、書き込み期間および維持期間のタイミングチャートである。図２の縦軸はＡブロックからＨブロックまでのブロックを示し、横軸は時間を示す。
【００６５】
図２に示すように、ＰＤＰ１０がＡ〜Ｈまで８分割され、第１〜第Ｌラインまでのスキャン電極１２およびサステイン電極１３がＡブロックとなり、第Ｌ＋１〜第２Ｌラインまでのスキャン電極１２およびサステイン電極１３がＢブロックとなり、全部で８ブロックとなる。また、アドレスドライバ２１、スキャンドライバ２２Ａ〜２２Ｈおよびサステインドライバ２３Ａ〜２３Ｈにより各ブロックごとに放電タイミングが以下のように制御される。
【００６６】
まず、Ａブロックから駆動を開始し、最初にリセットを実施する。リセット期間が終了した後、書き込み動作を行う書き込み期間と維持動作を行う維持期間とが開始される。
【００６７】
次に、Ａブロックの書き込み期間が終了した時点でＢブロックの書き込み期間が開始される。Ｂブロックにおいてはこのタイミングで書き込み動作が可能となるようなタイミングでリセット期間を開始する。同様に、Ｂブロックの書き込み期間が終了した時点でＣブロックの書き込み動作が開始できるようなタイミングでＣブロックのリセット動作を開始する。このように、ＰＤＰ１０では、アドレス電極である列電極１７が共通であるため、異なるブロック間での書き込み動作の重複は不可能である。
【００６８】
一方、サブフィールド数をできる限り増やすために、パルスブランキング期間などを設けずにタイミングを考えると各ブロックの書き込み動作を、各ブロック間でとぎれることなく連続で行うことが望まれる。この結果、列電極１７では、連続書き込み動作となっている。これを実施するためには、各ブロックＡ〜Ｈのリセット開始タイミングをブロックごとの書き込み期間だけずらせば良い。
【００６９】
Ｈブロックまで書き込み動作が実施されると再びＡブロックの書き込みを行う。この時、Ｈブロックの書き込み期間までを一つのサブフィールド期間とする。再度Ａブロックの書き込み動作が開始され、Ｈブロックまで順次書き込み動作が行われたとき、そこまでの期間をＳＦ２とする。順次連続書き込み動作を１フィールド期間実施する。
【００７０】
次に、書き込み動作と維持動作が重なる場合の駆動波形について説明する。
【００７１】
図２には、例えば、第１のサブフィールドＳＦ１において、ブロックＡの維持期間中にブロックＢの書き込み期間が設定されている例を示している。
【００７２】
このような場合、図３に示すように、維持期間中のブロックのスキャン電極１２およびサステイン電極１３にはそれぞれ維持パルスが印加され、一方、アドレス電極１７には、維持期間中のブロックのスキャン電極１２とサステイン電極１３が共にＬｏｗの期間に書き込みパルスが印加され、書き込み期間中のブロックの対応するスキャン電極１２に書き込みパルスが印加される。これにより、各ブロックに対してアドレス電極１７が共通に使用される場合でも、各ブロック間で駆動パルスの干渉をなくし、維持放電およびアドレス放電を並行して安定に行うことができる。
【００７３】
なお、リセット期間としては、数百μｓ設ける場合でも、数μｓのパルスリセットを用いるような場合であってもかまわない。
【００７４】
この様に、本発明においては、個別のブロックでは書き込み期間と維持期間とが分離された駆動であり、従来と同様の駆動方法であるが、そのブロック間で書き込み時間をずらし、維持期間と発光期間を重複させることにより書き込み期間を短縮することが本発明の特徴的な点である。この方式では、個別のブロックは従来と同様の駆動であるため安定動作が見込まれ、ブロック間の同期をとるだけで比較的容易に安定駆動を行うことができるという利点がある。
【００７５】
さらに、上述したようなブロック駆動方式では、ＰＤＰ１０の駆動を個別のブロックに分割して行うため、それぞれのブロック内では書き込みを行うライン数が減っているため、従来の駆動に比べ書き込み期間の時間を短縮することができる。その結果、それぞれラインにおいてアドレス放電後から次の維持パルスまでの時間（書き込みの状態の電荷を保持している時間）を短くすることができる。このため、隔壁１９が井桁構造であるＰＤＰ１０における課題である、電荷抜けおよび不灯などの不具合を抑えることができるという利点がある。
【００７６】
ここで、ＳＦ数を増やす場合のサブフィールド数の計算について説明する。
【００７７】
上述したような、書き込み・維持同時駆動を用いてＳＦ数をどの程度増加させることができるかについては、書き込み時間に依存する。そこで、ＰＤＰ１０の諸条件として、解像度が７６８×１０２４、上下２分割駆動、書き込み時間が２．０μｓと仮定して、ＳＦ数の試算を行う。
【００７８】
この時、一つのアドレス電極で駆動する全体ライン数は３８４ラインとなる。１フィールド内の書き込み回数は、１６．７ｍｓｅｃ／２．０μｓ＝８３３３回である。これをライン数で割ると２１．７となり、この結果からＳＦ数を２１とすることができる。
【００７９】
一つのブロックを仮に１２８ラインとすると、この時、１サブフィールドあたりの書き込み期間は１２８×２．０μｓ＝２５６μｓとなる。１ブロックのトータル時間が７７０μｓとすると、維持期間は７７０−２５６＝５１４μｓとなる。維持周期を５．０μｓとすると１００パルス程度を確保することが可能である。
【００８０】
次に、このようなサブフィールド構成の場合に、階調を表現する方法について説明する。選択消去アドレス法を採用した場合、サブフィールドＳＦ１の最初にリセット期間を実行する。引き続く書き込み期間で消去したい放電セルにデータを書き込む動作を行う。消去アドレスが実行されるまで、放電セルはサブフィールドごとに連続して発光する。発光させたい放電セルの輝度情報に応じていずれかのサブフィールドで消去アドレス動作を行い発光動作を終了する。このような階調表現を行った場合、従来の駆動と同様に発光しているサブフィールドが連続しているため動画疑似輪郭は原理的に発生しないという効果がある。
【００８１】
さらに、維持パルスをサブフィールドに分配する方法であるが、上記駆動方法によるとサブフィールドごとのパルス数の加算で階調を表現することになる。ただし、ガンマ特性の補正を行うため、サブフィールド間で重み付けを行い、維持パルス数を分配する。このため、サブフィールドによってパルス数は、１から１００程度まで変化する。この時、維持パルスの周期を一定とし、所定のパルス数を実行した後は維持発光を発生させない休止期間を設ける。この結果、サブフィールド内のパルス数に依らず、サブフィールドトータルの期間を一定とすることが可能となり、書き込み動作と維持動作との同期がとりやすくなり安定に同時駆動を行うことができる。
【００８２】
以上述べてきたように、本発明によれば、井桁形状の隔壁を備えるＰＤＰ（井桁パネル）に対して、書き込みと維持との同時駆動（書き込み・維持同時駆動）、特にブロック駆動を行うことにより、ブロックの境界部分における放電セル間で発光の影響がなく、クロストークの発生を抑えることが可能となる。
【００８３】
また、維持期間中に他のブロックの書き込み期間が設定されているため、従来のＡＤＳ駆動に比べ、書き込み時間を短縮することができる。この結果、サブフィールド数を増やすことが可能となり、従来に比べ実現できる階調数が増加し、高画質化制御を行った場合のノイズ発生を抑制することが可能となる。
【００８４】
また、アドレス放電から次の維持パルスまでの電荷保持時間を短縮することができるため、井桁パネルで発生していた書き込み時間延長による電荷抜けおよび不灯の不具合を抑えることが可能となる。
【００８５】
また、複数のサブフィールドを連続して発光させるため、原理的に動画疑似輪郭ノイズの発生を抑えることが可能である。
【００８６】
また、それぞれのサブフィールド内に維持期間と休止期間を設けることにより、サブフィールドトータルの期間をそれぞれ一定にすることにより、書き込み・維持同時駆動の同期がとりやすくなり、安定した動作を行うことができる。
【００８７】
次に、書き込み期間を長くする場合の書き込み時間の計算について説明する。アドレス・維持同時駆動のメリットとして、従来のＡＤＳ駆動に比べて書き込み時間を短縮することができることが挙げられる。この利点をＳＦ数を増加させるための時間に分配していたが、パネルの高輝度化としてＸｅガス分圧を上昇させると、書き込み時間が増加するという問題が生じる場合があり、そこで逆に、書き込み時間を増加させるために、本発明の書き込み・維持同時駆動を応用することを考える。
【００８８】
ＰＤＰ１０の諸条件として、解像度が７６８×１０２４、上下２分割駆動とすると、一つのアドレス電極で駆動する全体ライン数は３８４ラインとなる。この時、サブフィールド数を従来と同程度の１２とすると１フィールドあたりの書き込み回数は、１２×３８４＝４６０８回となる。１フィールドの時間（１／６０ｓｅｃ）をこれで割ると、１／６０／４６０８＝３．６μｓとなる。従来の書き込み時間を２．０μｓとすれば、それより１．８倍増加させることが可能となる。
【００８９】
以上のように、維持期間中に他のブロックの書き込み期間を挿入することにより、従来のＡＤＳ駆動に比べ、トータルのサブフィールド数を変化させない場合、書き込み時間を増加させることが可能である。
【００９０】
この結果、井桁パネルで発生していた書き込み動作の不安定現象や不灯を解決することができる。また、アドレス放電から次の維持パルスまでの電荷保持時間を短縮することができるため、井桁パネルで発生していた書き込み時間延長による電荷抜けおよび不灯の不具合を抑えることが可能となる。
【００９１】
また、高効率化などで書き込み時間が長くなるパネルに対しても、書き込みを確実に行うことが可能となり、安定な動作を保証することができる。
【００９２】
なお、書き込み・維持同時駆動、特にブロック駆動の特徴として、クロストークの影響が発生するところはブロック間の境界であり、その数は（ブロック数−１）カ所になる。
【００９３】
このことは、後述するライン駆動よりもクロストークの発生箇所が少なく、井桁パネルを用いない場合でも影響度合いを減少させる効果がある。
【００９４】
（実施の形態２）
以下、本発明の実施の形態２に係るプラズマディスプレイ装置の駆動方法について図を参照しながら説明する。
【００９５】
本実施の形態に係るプラズマディスプレイ装置の概略構成は、実施の形態１において図１で示したものと同様であり、したがって、ＰＤＰ１０も、実施の形態１において、図８〜１２を用いて示した構成と同様の井桁パネルである。以下、本実施の形態によるアドレス・維持同時駆動の駆動方式について説明する。
【００９６】
図４は書き込み・維持同時駆動方式を説明するための図である。図４の縦軸は第１ラインから第ｎラインまでのスキャン電極の走査方向（垂直走査方向）を示し、横軸は時間を示している。
【００９７】
本実施の形態では、書き込み・維持同時駆動方式は各ラインごとにアドレス放電に続いて維持放電が開始される方式である。図４に示す例では、１フィールドが４つのサブフィールドＳＦ１、ＳＦ２、ＳＦ３、ＳＦ４に時間的に分割され、各サブフィールドＳＦ１〜ＳＦ４がそれぞれ書き込み期間ＡＤ１〜ＡＤ４と維持期間ＳＵＳ１〜ＳＵＳ４とを含んでいる。
【００９８】
各サブフィールドＳＦ１〜ＳＦ４において、各ラインごとに書き込み期間ＡＤ１〜ＡＤ４に続いて維持期間ＳＵＳ１〜ＳＵＳ４が設定されている。そのため、１フィールドのほぼすべてを維持期間にあてることができる。この結果、高輝度化あるいはサブフィールド数の増加が可能となる。
【００９９】
次に、図５を用いて書き込み・維持同時駆動方式の詳細を説明する。図５は各ラインにおける書き込み期間と維持期間、さらに書き込みのタイミングを示したものである。各ラインでは、書き込み期間の後にそれぞれのＳＦの重み付けに応じた維持期間が設定されている。各ラインがそれぞれ順次書き込み期間だけ遅れて駆動している。
【０１００】
図５中に示す、拡大した区間では、水平走査ラインの１、６、９が同時に書き込みを行っている例を示している。ライン１はＳＦ４、ライン６はＳＦ３、ライン９はＳＦ２の書き込み動作を行う予定である。この時、図のように一つの書き込み期間を８区間に分割しているため、それぞれの書き込み動作を重複することなく実行することができる。以上のようにライン単位で書き込み・維持同時駆動を行う場合でも、書き込み動作が重複することなく駆動を行うことができる。
【０１０１】
さらに、駆動波形のタイミングチャートを図６に示す。図６では、サステイン電極１３、第ｎライン〜第（ｎ＋３）ラインのスキャン電極１２およびアドレス電極１７の駆動電圧が示されている。ここで、ｎは任意の整数である。
【０１０２】
図６において、サステイン電極１３には、一定周期でサステインパルスＰｓｕが印加され、書き込み期間には、スキャン電極１２に書き込みパルスＰｗが印加される。この書き込みパルスＰｗに同期してアドレス電極１７に書き込みパルスＰｗａが印加される。アドレス電極１７に印加される書き込みパルスＰｗａのオンオフは、表示する画像の各画素に応じて制御される。書き込みパルスＰｗと書き込みパルスＰｗａとが同時に印加されると、スキャン電極１２とアドレス電極１７との交点の放電セルＣでアドレス放電が発生し、その放電セルＣが点灯する。
【０１０３】
書き込み期間後の維持期間では、スキャン電極１２に一定周期で維持パルスＰｓｃが印加される。
【０１０４】
スキャン電極１２に印加される維持パルスＰｓｃの位相は、サステイン電極１３に印加されるサステインパルスＰｓｕの位相に対して１８０度ずれている。この場合、アドレス放電で点灯した放電セルにおいてのみ維持放電が発生する。
【０１０５】
各サブフィールドの終了時には、スキャン電極１２に消去パルスＰｅが印加される。これにより、各放電セルの壁電荷が消滅し、維持放電が終了する。消去パルスＰｅの印加後、次のサブフィールドの開始前までの間にスキャン電極１２に一定周期で休止パルスＰｒが印加される。消去パルスＰｅの印加から次のサブフィールドの開始までの期間を休止期間と呼ぶ。
【０１０６】
ここで、隔壁がいわゆるストライプ形状である場合には、以上のような書き込み・維持同時駆動、特にラインごとに駆動を行うライン駆動の場合、発光ラインの上下のセルに電荷の影響が及び、クロストークを発生するという問題が発生していた。これに対して、井桁ＰＤＰを用いて書き込み・維持同時駆動方式でライン駆動を行うことにより、放電セルでの隔壁の存在により電荷の移動を抑制することができ、その結果、クロストークを防止することが可能となる。
【０１０７】
また一方で、ライン駆動では、それぞれラインにおいてアドレス放電後から次の維持パルスまでの時間（書き込みの状態の電荷保持時間）を短くすることができる。このため、井桁パネルで発生していた電荷抜けおよび不灯の不具合を抑えることができるという利点がある。
【０１０８】
ここで、ＳＦ数を増やす場合のサブフィールド数の計算について以下に説明する。書き込み・維持同時駆動を用いてＳＦ数をどの程度増加させることができるかについては、書き込み時間に依存する。そこで、ＰＤＰ１０の諸条件として、解像度が７６８×１０２４、上下２分割駆動、書き込み時間が２．０μｓと仮定し、また、サブフィールド数を２０と仮定してＳＦ数の試算を行う。
【０１０９】
維持パルスの間に書き込みパルス（アドレスパルス）を挿入するため、維持パルス周期は維持パルス幅と書き込みパルス幅との合計になる。維持パルス幅を２．５μｓ、書き込みパルス幅を２．０μｓとすると、維持パルスの周期は９μｓとなる。書き込みパルスは維持パルスの１周期に２発挿入できるため、書き込みを行う基本単位は９μｓ×２０／２＝９０μｓとなる。１フィールドには１６．６ｍｓ／９０μｓ＝１８５セット実現可能である。書き込みに２０セット使用するため、維持発光には１６５セット使用可能である。サブフィールド間連続駆動（ＰＷＭ駆動）を行い、サブフィールド間にガンマ補正用の重み付けを行うと、それぞれのサブフィールドのセット数は、０、１、２、２、３、４、５、５、６、７、８、９、１０、１１、１２、１３、１５、１６、１７、１８となる。なお、この重み付けとパルス数の分配はこれに限るものでなく、適宜決定すれば良い。
【０１１０】
以上述べてきたように、維持パルスの間に書き込みパルスを挿入するため、従来のＡＤＳ駆動に比べて、書き込み時間を短縮することができる。この結果、サブフィールド数を２０程度まで増やすことが可能となる。このため、従来に比べ実現できる階調数が増加し、高画質化制御を行った場合のノイズ発生を抑制することが可能となる。
【０１１１】
また、複数のサブフィールドを連続して発光させるため原理的に動画疑似輪郭ノイズも原理的に発生しないという利点がある。
【０１１２】
また、維持期間ライン駆動では、アドレス放電から次の維持パルスまでの電荷保持時間を大幅に短縮することができるため、井桁パネルで発生していた電荷抜けおよび不灯の不具合を抑えることが可能となる。
【０１１３】
さらに、実施の形態１で説明していたブロック駆動に比べ、サブフィールド内の維持期間に休止期間を設ける必要がないため、維持期間全てを維持発光に使うことができる。このため、高輝度化の実現にはライン単位で駆動するライン駆動の方が有利となる。
【０１１４】
次に、書き込み期間を長くする場合の書き込み時間の計算について以下に述べる。書き込み・維持同時駆動のメリットとして、従来のＡＤＳ駆動に比べて書き込み時間を短縮することができることが挙げられる。この利点をＳＦ数を増加させるための時間に分配していたが、パネルの高輝度化としてＸｅガス分圧を上昇させると、書き込み時間が増加するという問題が生じる場合があり、そこで逆に、書き込み時間を増加させるために、本発明の書き込み・表示同時駆動を応用することを考える。
【０１１５】
サブフィールド数は通常の１２とする。維持パルスの間に書き込みパルスを挿入するため、維持パルス周期は維持パルス幅と書き込みパルス幅との合計になる。維持パルス幅を２．５μｓ、書き込みパルス幅を３．５μｓとすると維持パルスの周期は１２μｓとなる。書き込みパルスは維持パルスの１周期に２発挿入できるため、書き込みを行う基本単位は１２μｓ×１２／２＝７２μｓとなる。１フィールドには１６．６ｍｓ／７２μｓ＝２３１セット実現可能である。書き込みに１２セット使用するため、維持発光には２１９セット使用可能である。サブフィールド間連続駆動（ＰＷＭ駆動）を行い、サブフィールド間にガンマ補正用の重み付けを行うと、それぞれのサブフィールドのセット数は、２、４、６、９、１２、１６、１９、２３、２６、３０、３４、３８となる。なお、この重み付けとパルス数の分配はこれに限るものでなく、適宜決定すれば良い。
【０１１６】
以上のように、維持パルスの間に書き込みパルスを挿入するため、従来のＡＤＳ駆動に比べ、トータルのサブフィールド数を変化させない場合、書き込み時間を増加させることが可能である。この結果、高効率化パネルに対しても、書き込みを確実に行うことが可能となり、安定な動作を保証することができる。
【０１１７】
また、書き込み時間を延ばすことができるため、井桁パネルで発生していた書き込み動作の不安定現象や不灯を解決することができる。また、アドレス放電から次の維持パルスまでの電荷保持時間を大幅に短縮することができるため、井桁パネルで発生していた電荷抜けおよび不灯の不具合を抑えることが可能となる。
【０１１８】
（実施の形態３）
本実施の形態においては、ＰＤＰ１０の構成は、実施の形態１において図８〜１２に示した構成と同様であり、井桁パネルである。そして本実施の形態での書き込み・維持同時駆動の駆動方式、特に圧縮駆動方式について図７を用いて説明する。
【０１１９】
図７は、圧縮駆動方式を説明するための図である。図７の縦軸は第１ラインから第ｎラインまでの行電極の一方であるスキャン電極の走査方向（垂直走査方向）を示し、横軸は時間を示す。圧縮駆動方式では、１フィールドを発光期間とパルスブランキング期間（非発光期間）とに時間的に分割するとともに、発光期間を複数のサブフィールドに時間的に分割する。この圧縮駆動方式においても、書き込み・維持同時駆動方式と同様に、各ラインごとにアドレス放電に続いて維持放電が開始される。
【０１２０】
図７において、発光期間が４つのサブフィールドＳＦ１、ＳＦ２、ＳＦ３、ＳＦ４に時間的に分割され、各サブフィールドＳＦ１〜ＳＦ４がそれぞれ書き込み期間ＡＤ１〜ＡＤ４と維持期間ＳＵＳ１〜ＳＵＳ４とを含む。
【０１２１】
各サブフィールドＳＦ１〜ＳＦ４において、各ラインごとに書き込み期間ＡＤ１〜ＡＤ４に続いて維持期間ＳＵＳ１〜ＳＵＳ４がそれぞれ設定されている。また、各ラインごとに発光期間に続いてパルスブランキング期間が設定されている。
【０１２２】
以上述べてきたように、各フィールドでの発光期間が圧縮されているので、各画素の輝度が確定するまでの発光時間が短縮される。したがって、動画疑似輪隔の発生が低減または防止される。
【０１２３】
また、井桁パネルを用いてライン駆動を行うことにより、隔壁があるため電荷の移動を抑制することができるため、クロストークを防止することが可能となる。
【０１２４】
なお、階調実現の方法として、ＰＷＭ駆動を用いても重み付けのサブフィールドを足し合わせる方法でもかまわない。
【０１２５】
以上、説明してきたように、本発明によれば、書き込み・維持同時駆動、特にブロック単位で駆動を行うことにより、特に井桁パネルにおいて、ブロックの境界部分における放電セル間で発光の影響がなく、クロストークの発生を抑えることが可能となる。また、従来のＡＤＳ駆動に比べて書き込み時間を短縮することができるため、サブフィールド数を増やすことが可能となる。また、従来の駆動に比べ書き込み期間の時間を短縮できるのでアドレス放電後から次の維持パルスまでの時間（書き込みの状態の電荷保持時間）を短くすることができる。このため、井桁パネルで発生していた電荷抜けおよび不灯の不具合を抑えることが可能となる。また、それぞれのサブフィールド内に維持期間と休止期間を設けることにより、書き込み・維持同時駆動の同期がとりやすくなり、安定した動作を行うことができる。このため、従来に比べ実現できる階調数が増加し、高画質化制御を行った場合のノイズ発生を抑制することが可能となる。さらに、複数のサブフィールドを連続して発光させるため原理的に動画疑似輪郭ノイズの発生を抑えることが可能である。
【０１２６】
また、ブロックの境界部分における放電セル間で発光の影響がなく、クロストークの発生を抑えることが可能となる。また、従来のＡＤＳ駆動に比べ、トータルのサブフィールド数を変化させない場合、書き込み時間を増加させることが可能である。この結果、高効率化パネルに対しても、書き込みを確実に行うことが可能となり、安定な動作を保証することができる。また、井桁パネルで発生していた電荷抜けおよび不灯の不具合を抑えることが可能となる。さらに、それぞれのサブフィールド内に維持期間と休止期間を設けることにより、書き込み・維持同時駆動の同期がとりやすくなり、安定した動作を行うことができる。さらに、複数のサブフィールドを連続して発光させるため原理的に動画疑似輪郭ノイズの発生を抑えることが可能である。
【０１２７】
また、書き込み・維持同時駆動、特にライン単位で駆動を行うことにより、特に井桁パネルにおいて、ライン間のクロストークを防止することができる。また、サブフィールド内の維持期間のほとんど全てを維持発光に使うことができるため、高輝度化を実現することができる。また、従来のＡＤＳ駆動に比べ書き込み時間を短縮することができるため、サブフィールド数を増やすことが可能となる。また、従来の駆動に比べ書き込み期間の時間を短縮できるのでアドレス放電後から次の維持パルスまでの時間（書き込みの状態の電荷保持時間）を短くすることができる。このため、井桁パネルで発生していた電荷抜けおよび不灯の不具合を抑えることが可能となる。また、従来に比べ実現できる階調数が増加し、高画質化制御を行った場合のノイズ発生を抑制することが可能となる。また、複数のサブフィールドを連続して発光させるため原理的に動画疑似輪郭ノイズの発生を抑えることが可能であるという利点がある。
【０１２８】
また、ライン間のクロストークを防止することができる。また、サブフィールド内の維持期間のほとんど全てを維持発光に使うことができるため、高輝度化を実現することができる。さらに、従来のＡＤＳ駆動に比べ、トータルのサブフィールド数を変化させない場合、書き込み時間を増加させることが可能である。この結果、井桁パネルで発生していた書き込み動作の不安定現象や不灯を解決することができる。また、高効率化パネルに対しても書き込みを確実に行うことが可能となり、安定な動作を保証することができる。
【０１２９】
また、各フィールドでの発光期間を圧縮することにより各画素の輝度が確定するまでの発光時間が短縮される。したがって、動画疑似輪隔の発生が低減される。
【産業上の利用可能性】
【０１３０】
以上のように本発明は、書き込み・維持同時駆動を行うことにより、特に井桁形状の隔壁を有するＰＤＰに対して、クロストークを発生することなく、高輝度化、高階調（疑似輪郭防止）、安定動作を可能とする駆動方法を実現し、高品位な表示性能を持つプラズマディスプレイ装置を提供することができる。
【図面の簡単な説明】
【０１３１】
【図１】本発明の実施の形態１によるプラズマディスプレイ装置の駆動方法により駆動されるプラズマディスプレイ装置の概略構成を示すブロック図
【図２】本発明の実施の形態１によるプラズマディスプレイ装置の駆動方法を説明するための模式図
【図３】本発明の実施の形態１によるプラズマディスプレイ装置の駆動方法を説明するためのタイミングチャート
【図４】本発明の実施の形態２によるプラズマディスプレイ装置の駆動方法を説明するための模式図
【図５】本発明の実施の形態２によるプラズマディスプレイ装置の駆動方法を説明するための模式図
【図６】本発明の実施の形態２によるプラズマディスプレイ装置の駆動方法を説明するためのタイミングチャート
【図７】本発明の実施の形態３によるプラズマディスプレイ装置の駆動方法を説明するための模式図
【図８】プラズマディスプレイパネルの代表的な構成を示す一部分の平面図
【図９】図８中のＶ１−Ｖ１矢視断面図
【図１０】図８中のＶ２−Ｖ２矢視断面図
【図１１】図８中のＷ１−Ｗ１矢視断面図
【図１２】図８中のＷ２−Ｗ２矢視断面図
【図１３】従来のプラズマディスプレイ装置の駆動方法を説明するための模式図
【図１４】従来のプラズマディスプレイ装置の概略構成を示すブロック図
【図１５】従来のプラズマディスプレイ装置の駆動方法における１フィールド期間を説明するための模式図
【符号の説明】
【０１３２】
１  プラズマディスプレイ表示装置
１０  プラズマディスプレイパネル
１２、１３  行電極
１７  列電極
２０  駆動回路
２１  アドレスドライバ
２２Ａ〜２２Ｈ  スキャンドライバ
２３Ａ〜２３Ｈ  サステインドライバ
２４  放電制御タイミング発生回路
２５  Ａ／Ｄコンバータ
２６  走査数変換部
２７  サブフィールド変換部
Ｌ  表示ライン
Ｃ  放電セル
【図１】
2005070381.tif 000003
【図２】
2005070381.tif 000004
【図３】
2005070381.tif 000005
【図４】
2005070381.tif 000006
【図５】
2005070381.tif 000007
【図６】
2005070381.tif 000008
【図７】
2005070381.tif 000009
【図８】
2005070381.tif 000010
【図９】
2005070381.tif 000011
【図１０】
2005070381.tif 000012
【図１１】
2005070381.tif 000013
【図１２】
2005070381.tif 000014
【図１３】
2005070381.tif 000015
【図１４】
2005070381.tif 000016
【図１５】
2005070381.tif 000017